(57)【要約】【課題】先端面に耐摩耗性強化部を設置してなる混練装置用の攪拌翼であって、当該先端面の耐摩耗性を必要十分な程度に強化すること、及び、経済性の面において上述のような意味でオーバースペックとはならない範囲内に先端面の耐久性を最適化することの両立が容易な攪拌翼、及びそれを用いた混練装置を提供すること。【解決手段】混練装置用の攪拌翼を、母材１１と、母材１１の先端に設置されている、型枠１２と、耐摩耗性強化部１２１とを有し、型枠１２は、金属板からなり、母材１１の先端面１１１の外周を取り囲んで立設されていて、耐摩耗性強化部１２１は、型枠１２の内部に充填されている耐摩耗性合金からなる、攪拌翼１とする。【選択図】図３
2019055349.tif 000002
【特許請求の範囲】
【請求項１】
混練装置用の攪拌翼であって、
母材と、該母材の先端に設置されている、型枠と、耐摩耗性強化部とを有し、
前記型枠は、金属板からなり、前記母材の先端面の外周を取り囲んで立設されていて、
前記耐摩耗性強化部は、前記型枠の内部に充填されている耐摩耗性合金からなる、攪拌翼。
【請求項２】
前記金属板が普通鋼からなる鉄板である請求項１に記載の攪拌翼。
【請求項３】
請求項１又は２に記載の攪拌翼が配置されている混練装置。
【請求項４】
前記混練装置が、不等速二軸スクリューコンベアである請求項３に記載の混練装置。
【請求項５】
請求項３又は４のいずれかに記載の混練装置を用いた被混練物の混練方法であって、前記被混練物が、ビッカース硬度が略５０以上の鉱物を含有する粉体である混練方法。
【発明の詳細な説明】
【技術分野】
【０００１】
本発明は、混練装置用の攪拌翼及びそれを用いた混練装置に関する。より詳しくは、高い耐摩耗性を備えるものでありながら、製造と保守管理が容易で経済性に優れる混練装置用の攪拌翼及びそれを用いた混練装置に関するものである。
【背景技術】
【０００２】
例えば、還元焙焼炉で電炉ダストから亜鉛を回収する工程において、還元焙焼炉内での還元反応を促進するために、還元焙焼炉に投入する前の電炉ダストを、コークスと混練する前処理が行われる。この前処理を行う混練装置として、例えば、図１に示すようなスクリューコンベア１００が広く用いられている。このスクリューコンベア１００は、図１及び図２に示す通り、電気駆動部５の動力により回転する回転軸２の外周上に攪拌翼１が螺旋状に配置されているものである。被混練物は投入口８から投入され、ケーシング４の内部を、攪拌翼１によって攪拌されながら搬送され、十分に混練された状態で排出口９から排出される。
【０００３】
スクリューコンベア１００においては、通常、コークスや電炉ダスト等の摩耗作用を有する被混練物を混練する。よって攪拌翼１には、高い耐摩耗性が要求される。例えば、スクリューコンベア１００の操業の継続に伴って攪拌翼１の先端部の摩耗が進行した場合には、攪拌翼１の先端部とケーシング４との間のクリアランスの幅（ｗ）（図２参照）が序々に拡大する。この幅（ｗ）の大きさが一定以上に達すると、混練及び搬送能力の低下、或いは、フラッシング現象の発生等、スクリューコンベア１００を用いた操業に様々な支障をきたすこととなる。
【０００４】
このような事態を回避するための手段として、例えば、攪拌翼の各部を耐摩耗性の異なる材料で形成し、耐摩耗性の低い一部分だけを、容易に交換できる構成とすることによって、攪拌翼の摩耗進行時の交換作業の作業負担を軽減したスクリューコンベアが提案されている（特許文献１参照）。
【０００５】
一方、攪拌翼の先端面に、高硬度の材質からなる平板状の部材を取り付けることにより、耐摩耗性を向上させた攪拌翼（特許文献２参照）や、或いは、同先端面に各種形体のセラミックス製部材を適宜組合せて設置した攪拌翼も提案されている（特許文献３参照）。
【先行技術文献】
【特許文献】
【０００６】
【特許文献１】特開２００３−３３６４８９号公報
【特許文献２】特開２００６−２３３６９５号公報
【特許文献３】特開２０１０−９４６４６号公報
【発明の概要】
【発明が解決しようとする課題】
【０００７】
ここで、摩耗の進行に応じた攪拌翼の交換の要否を判断するためには、スクリューコンベアを完全に停止して、パドルの摩耗度合いを点検口等から直接測定する必要がある。この点については、特許文献１に記載のスクリューコンベアであっても、従来のスクリューコンベアと何ら変わるところはない。このため、特許文献１に記載のスクリューコンベアにおいては、操業の一時的停止の頻度を下げて、生産性を向上するためには、攪拌翼の更なる対摩耗性の向上が、尚、解決すべき課題として残っていた。
【０００８】
一方、特許文献２や特許文献３に開示されている攪拌翼の場合のように、その先端面に高硬度の耐摩耗層を形成することにより、高度の耐摩耗性を担保する構成とした攪拌翼においても、被混練物の硬度やその他の操業条件によって、先端面以外の摩耗等による攪拌翼の母材の部分の寿命は様々に変動する。これに応じて、攪拌翼の先端面の耐摩耗層に要求される耐摩耗性も大きく変動する。つまり、母材の部分の寿命が尽きる前に耐摩耗層の寿命が尽きてしまわないように設計することが求められることは当然としても、高価な耐摩耗材からなる耐摩耗層の寿命が母体部分の寿命よりも長い場合には、実質的にオーバースペックの状態となり、高価な材料からなる耐摩耗層の経済性の低下によるデメリットの方が顕在化することとなる。又、特許文献２や特許文献３に開示されている攪拌翼では、構造が複雑なため製造の手間が掛かり、製造コストが高くなるばかりでなく、交換作業においても手間が掛かり、交換コストが高くなる。
【０００９】
上記のような事情から、摩耗作用を有する被混練物を混練する混練装置用の攪拌翼には、操業現場毎に異なる被混練物の種類や操業条件に応じて、攪拌翼の先端部の耐摩耗層の寿命（強度や耐久性）を柔軟に最適化することができる構造であることが望ましい。
【００１０】
この点、特許文献２に記載の攪拌翼は、予め成形済の定形の耐摩耗部材を設置する構成であり、単純に寿命の長い耐摩耗層を形成することが考慮されているのみである。よって、経済性を向上させるための、上記のような攪拌翼の先端部の耐摩耗層の寿命の最適化に当たっては、改めて耐磨耗部材の製作から始めることになり、非常に長い時間と高いコストを要する。
【００１１】
尚、特許文献３に記載の攪拌翼は、耐摩耗性のみならず専ら腐食性を有する被混練物をその対象として想定しているものである。このため、攪拌翼の表面の略全面を定形パーツ化されたＬ字型等のセラミックス部材で覆う構成とされており、必要なセラミック部材が多くなり、材料費が嵩む点において経済性の面では好ましいものとは言えない。又、特許文献２に記載の攪拌翼と同様、攪拌翼の先端部の耐摩耗層の寿命の最適化も困難である。
【００１２】
本発明は、先端面に耐摩耗性強化部を設置してなる混練装置用の攪拌翼であって、当該先端面の耐摩耗性を必要十分な程度に強化すること、及び、経済性の面において上述のような意味でオーバースペックとはならない範囲内に先端面の耐久性を最適化することの両立が容易な攪拌翼、及びそれを用いた混練装置を提供することを目的とする。
【課題を解決するための手段】
【００１３】
本発明者らは、混練装置用の攪拌翼を、その先端面に金属板からなる型枠を形成し、その内部に耐摩耗性合金を鋳込むことにより耐摩耗性強化部を形成した簡易な構造とすることにより、上記課題を解決できることを見出し、本発明を完成するに至った。具体的には、本発明は以下のものを提供する。
【００１４】
（１）  混練装置用の攪拌翼であって、母材と、該母材の先端に設置されている、型枠と、耐摩耗性強化部とを有し、前記型枠は、金属板からなり、前記母材の先端面の外周を取り囲んで立設されていて、前記耐摩耗性強化部は、前記型枠の内部に充填されている耐摩耗性合金からなる、攪拌翼。
【００１５】
（２）  前記金属板が普通鋼からなる鉄板である（１）に記載の攪拌翼。
【００１６】
（３）  （１）又は（２）に記載の攪拌翼が配置されている混練装置。
【００１７】
（４）  前記混練装置が、不等速二軸スクリューコンベアである（３）に記載の混練装置。
【００１８】
（５）  （３）又は（４）のいずれかに記載の混練装置を用いた被混練物の混練方法であって、前記被混練物が、ビッカース硬度が略５０以上の鉱物を含有する粉体である混練方法。
【発明の効果】
【００１９】
本発明によれば、先端面に耐摩耗性強化部を設置してなる混練装置用の攪拌翼であって、当該先端面の耐摩耗性を必要十分な程度に強化すること、及び、経済性の面において上述のような意味でオーバースペックとはならない範囲内に先端面の耐久性を最適化することの両立が容易であり、製造と保守管理が容易で経済性に優れる攪拌翼、及びそれを用いた混練装置を提供することができる。
【図面の簡単な説明】
【００２０】
【図１】本発明の混練装置の一実施形態であるスクリューコンベアの構造を模式的に示す正面図である。
【図２】図１のＡ断面におけるスクリューコンベアの内部構造と本発明の攪拌翼の配置態様を模式的に示す断面図である。
【図３】本発明の攪拌翼の斜視図である。
【図４】本発明の攪拌翼の平面図である。
【図５】本発明の攪拌翼の正面図である。
【発明を実施するための形態】
【００２１】
以下、本発明の混練装置用の攪拌翼１、及びそれを用いた混練装置の好ましい一例であるスクリューコンベア１００の実施形態について説明する。但し、本発明は、以下の実施形態に限定されるものではない。
【００２２】
＜攪拌翼＞
本発明の混練装置用の攪拌翼１は、図１及び図２に示す通り、スクリューコンベア１００に被混練物の攪拌を目的として設置される部材である。攪拌翼１は、スクリューコンベア１００の回転軸２の外周上に、被混練物を攪拌及び搬送可能な態様で配置される。攪拌翼１を配置する混練装置としては、攪拌翼１によって被混練物を攪拌する機能を有する混練装置であれば特に限定されない。但し、攪拌翼１を配置する混練装置として、スクリューコンベアを、好ましく用いることができる。又、スクリューコンベアのうちでも、不等速二軸スクリューコンベアを、特に好ましく用いることができる。本実施形態におけるスクリューコンベア１００は、不等速二軸スクリューコンベアである。混練装置の詳細については後述する。
【００２３】
図３〜図５に示す通り、攪拌翼１は、いわゆるパドルタイプの板羽根状の部材である。攪拌翼１は、母材１１と、型枠１２と、耐摩耗性強化部１２１とを含む構成からなる。母材１１は、取付け用台座部１３上に溶接等により強固に固着されている。型枠１２は金属板からなり、母材１１の先端面１１１の外周を取り囲む態様で立設されている。耐摩耗性強化部１２１は、一連の壁枠形状からなる型枠１２の内部空間に充填されている耐摩耗性合金からなり、母材１１の先端面１１１の略全面を被覆する態様で設置されている。耐摩耗性強化部１２１は、通常、溶融させた耐摩耗性合金を型枠１２に鋳込んで成形する方法（鋳造法）により形成される。
【００２４】
母材１１の材料は、耐摩耗性、加工容易性、及び経済性のバランスに優れる炭素鋼又はステンレス鋼等の材料とすることが好ましい。母材１１の形状については、被混練物を、十分に攪拌可能な形状であり、又、操業中に被混練物から受ける圧力に耐えるだけの強度を備えうる形状であればよい。例えば、図３及び図４に示すように、正面視においてテーパー状の外周に囲まれた平坦な表面及び裏面を有する板羽根状のパネルを母材１１として好ましく用いることができる。
【００２５】
型枠１２の材料は、耐摩耗性強化部１２１の鋳込みの際に発生する高熱に耐えうる程度の耐熱性を有する金属材料からなる金属板であればよく、その限りにおいて特に限定はされない。一般的には、耐摩耗性合金の鋳込み時に概ね１５００℃程度までの熱に耐えうる耐熱性を有するものであることが好ましい。但し、型枠１２は、後に詳しく説明する通り、スクリューコンベア１００の使用時における耐久性までは要求されないため、これを構成する金属板として、高価な耐熱性合金を用いる必要はなく、安価な普通鋼からなる鉄板を用いることができる。型枠１２を構成する金属板を普通鋼からなる鉄板とすることにより、スクリューコンベア１００の製造コストや保守管理コストを抑制して、更にその経済性を高めることができる。
【００２６】
尚、耐摩耗性強化部１２１が鋳造方法等によって母材１１の先端面１１１に定着した後においては、型枠１２は、攪拌翼１において必ずしも必須の構造でさえなくなる。つまり、耐摩耗性強化部１２１が完成した後であれば、たとえ、型枠１２がその後の摩耗や熱による損傷で減耗したり、或いは、攪拌翼１から離脱したとしても、攪拌翼１の先端面１１１の耐摩耗性は耐摩耗性強化部１２１のみによって、十分に維持されるからである。よって、耐摩耗性強化部１２１の形成後の状態においては、型枠１２自体には、特段の耐摩耗性や耐久性は要求されなくなる。よって、上記の安価な普通鋼からなる鉄板であっても、これを型枠１２を構成する金属板として好ましく用いることができるのである。
【００２７】
型枠１２の形状については、母材１１の先端面１１１の外周を取り囲んで立設されている一連の壁枠状の形状であればよい。そのような壁枠状の形状となるように連接されている複数の金属板からなる構成であってもよいし、或いは、そのような形状となるように折曲げ加工されている単一の金属板からなる構成であってもよい。又、このような形状の型枠１２の取付け方法は、特に限定されないが、例えば、溶接等の取付け方法によって母材１１へ取り付けることが可能である。
【００２８】
耐摩耗性強化部１２１は、攪拌翼１の母材１１の先端面１１１の略全面を被覆するように設置される。この耐摩耗性強化部１２１を形成する耐摩耗性合金としては、耐摩耗性を有する従来周知の各種の金属材料を適宜用いることができる。特には、加工性や経済性も勘案した上での総合的な観点から、超硬合金、工具鋼、高速度鋼等の材料を好ましく用いることもできる。耐摩耗性合金として特に好ましく用いることができる金属材料の具体例として、「ＳＴＬ−ＮＥＸＴ（ＩＮＧ商事株式会社製）」を挙げることができる。
【００２９】
耐摩耗性強化部１２１の厚さは、所望の耐摩耗性に応じて適宜最適化すればよい。例えば、耐摩耗性合金として、上記の「ＳＴＬ−ＮＥＸＴ」を用いた場合においては、耐摩耗性強化部１２１の厚みは、１０ｍｍ以上５０ｍｍ以下の範囲であることが好ましい。この厚さ範囲の中で、摩耗性の高いカーボン等を含め、様々な硬度を有する各種の被混練物への対応が可能である。
【００３０】
ここで、スクリューコンベア１００の操業時において、攪拌翼１の耐摩耗性強化部１２１に求められる耐摩耗性の程度は、被混練物の硬度やその他の操業条件に応じて広い範囲で変動する。又、この耐摩耗性の程度については、必要最小限以上の強度や耐久性を有することが必須であるとともに、尚且つ、経済性の面では、上述の通り、母材１１の寿命との関係においてオーバースペックとならない範囲内の強度や耐久性であることが好ましい。攪拌翼１は、型枠１２に充填する耐摩耗性合金の種類と充填量（即ち、耐摩耗性強化部１２１の厚み）を、必要に応じて、極めて容易に最適化調整することができる構造であり、処理対象や操業条件の変更に対応する設計変更も容易に行うことが可能である。
【００３１】
尚、一般的には、攪拌翼は、混練装置内で摩耗作用を有する被混練物を攪拌する際に、その母材１１の略全面に被混練物からの摩耗作用を受ける。但し、混練装置がスクリューコンベアである場合には、攪拌翼１の各部のうちでも、特に先端面１１１近傍において他の部分よりも相対的に強い摩耗作用を受け、その結果、先端部近傍において特に摩耗が早く進行する傾向がある。そして、混練装置が不等速二軸スクリューコンベアである場合には、この傾向は更に顕著となる。攪拌翼１は、先端面１１１に、耐摩耗性合金により形成されている耐摩耗性強化部１２１が設置されていることにより、特に、攪拌翼１の先端部近傍の耐摩耗性を大幅に向上させたものである。よって、攪拌翼１は、混練装置がスクリューコンベアである場合に好ましく用いることができるものであり、混練装置が不等速二軸スクリューコンベアである場合に特に好ましく用いることができるものである。
【００３２】
＜混練装置＞
図１及び図２は、本発明の攪拌翼１を用いたスクリューコンベア１００の構造を模式的に示す正面図と断面図である。図１及び図２に示す通り、スクリューコンベア１００は、中空の管状外殻部であるケーシング４と、ケーシング４の内部空間に配置される搬送スクリュー３、及び、電気駆動部５等の回転駆動装置や、軸受け６等の支持部材等により構成される。電気駆動部５及び軸受け６等の支持部材は、機械ベース７に強固に固定されている。
【００３３】
搬送スクリュー３は、被混練物を攪拌しながらケーシング４内を搬送することのできるスクリューである。搬送スクリュー３は、回転軸２に攪拌翼１を螺旋状に設置したものである。攪拌翼１は、取付け用台座部１３に形成されている攪拌翼取付け穴１３１にボルトを通して回転軸２に強固に、且つ、着脱可能に固定されている。
【００３４】
回転軸２は一組の軸受け６に軸回転可能な態様で支持されている。そして、この回転軸２を電気駆動部５によって回転駆動させることにより、ケーシング４内の被混練物を攪拌翼１で攪拌しながら、スクリューコンベア１００の長軸方向に搬送する。この搬送によって、投入口８から投入された被混練物は、排出口９の方向へ押し出される。
【００３５】
ケーシング４は単一の部材で形成してもよいし、或いは、攪拌翼１の保守性を高めるために、複数の部材をボルト等で着脱可能に連結したものであってもよい。
【００３６】
スクリューコンベア１００においては、被混練物の搬送を円滑、且つ、効率よく行うために、通常、攪拌翼１の先端とケーシング４の内周面との間に、摩擦等防止のためのクリアランスとして幅（ｗ）を持たせるようにしている。この幅（ｗ）の好ましい大きさについては、ケーシングの内径や、投入する粉体の粒径等によっても異なるが、例えば、標準的なサイズであるケーシング４の内径が５００ｍｍであるスクリューコンベア１００においては、幅（ｗ）の大きさは、３ｍｍ以上１０ｍｍ以下程度であることが好ましく、この幅（ｗ）の大きさが、上記の被混練物との衝突による攪拌翼１への摩耗作用の負荷による攪拌翼１の先端の摩耗の進行により、凡そ１０ｍｍを超えた場合には、混練物の搬送効率の低下や、フラッシング現象が多発するようになる。
【００３７】
尚、スクリューコンベア１００は、不等速二軸スクリューコンベアであるので、攪拌翼１を螺旋状に配置する二つの回転軸２は、それぞれ異なる速度で回転する。この回転が等速である場合は攪拌翼１の交差する位置は一定のため、攪拌翼１の交差しない場所には、攪拌翼１や回転軸２に居着きが生じてしまう。これに対して、回転速度が不等速の場合、攪拌翼１の交差位置が回転する毎にずれていくため、自ら攪拌翼１や回転軸のへの居着きを掻き取りながら回転するセルフクリーニング作用を生じさせながら作動する。これにより、居着きの激しい搬送物の処理も可能となる。
【００３８】
スクリューコンベア１００は、特に攪拌翼１の先端面１１１における耐摩耗性を著しく向上させたものである。よって、特に攪拌翼の先端部に強い摩耗作用による負荷がかかる場合において、上記の先端部の摩耗の進行を顕著に抑制することができる。攪拌翼１に強い摩耗作用による負荷を与える被混練物としては、鉄鋼ダスト、カーボン、各種澱物、ＲＰＦ等、及び、カーボンを含有するその他の粉体を、代表的な具体例として挙げることができる。
【００３９】
攪拌翼１を備えたスクリューコンベア１００を用いる混練方法においては、上記の通り、鉄鋼ダストやカーボン等を好ましい態様において混練することができる。中でもカーボンを含有する各種の粉体を特に好ましい態様において混練することができる。又、被混練物が、ビッカース硬度略５０以上の鉱物を含有する粉体であれば、上記のカーボンを含有する粉体に限らず、攪拌翼１を備えたスクリューコンベア１００を用いる混練方法を好ましく用いることができる。ビッカース硬度略５０以上の鉱物の具体例としては、カーボンの他に、バライト、ケイ石、カッ石、石膏、やソーダガラス等が挙げられる。
【００４０】
又、攪拌翼１を備えたスクリューコンベア１００は、上記の被混練物を、還元焙焼工程等の加熱工程に投入する前段階で行う前処理を行うための手段として、好ましく用いることができる。好ましい具体例として、鉄鋼ダストとカーボンを混練してペレット化する処理等を挙げることができる。
【００４１】
以上の攪拌翼１及びそれを用いた混練装置（スクリューコンベア１００）によれば、以下のような効果を奏する。
【００４２】
（１）  本発明においては、混練装置用の攪拌翼１を、母材１１と、母材１１の先端に設置されている型枠１２と、型枠１２内に充填されてなる耐摩耗性強化部１２１とを有する構成とした。これらの構成要件の充足により、攪拌翼１は、被混練物による摩耗作用を受ける母材１１の先端付近の耐摩耗性を重点的に向上させた。又、耐摩耗性強化部１２１を、型枠１２への耐摩耗性合金の鋳込みによって形成することができる構造としたことにより、操業現場毎の固有の条件に合わせて、耐摩耗性強化部１２１の厚さを、適宜最適な厚さに容易に調整することもできるようになった。つまり、攪拌翼１は、その母材１１の先端面１１１の摩耗の進行を十分に抑制することができるのみならず、耐摩耗性強化部１２１の寿命を、母材１１の寿命と合せて最適化する調整も容易に行うことができるものとされている。これにより、攪拌翼１は、スクリューコンベア１００等の混練装置の製造及び保守管理に係るコストを更に引き下げて、その経済性を著しく向上させることができるようになった。尚、例えば、特開２０１５―６６５３３号公報に開示されているような、攪拌翼の先端部に硬質のチップを埋め込んだ複雑な先端部構成を有する攪拌翼と比較して、攪拌翼１は、製造コストは大幅に削減でき、尚且つ、母材１１の寿命を加味した場合における必要十分な耐摩耗性は十分に担保できるので、経済性においては、より優位な構造である。
【００４３】
（２）  更に、型枠１２を形成する金属板を、入手容易で安価な普通鋼からなる鉄板とした。この材料選択は、耐摩耗性強化部１２１を、型枠１２を鋳型とした耐摩耗性合金の鋳造により形成することができる構成としたことにより初めて可能となった。攪拌翼１においては、型枠１２の材料選択は、耐摩耗性強化部１２１の一部を構成する部材に求められるものと同等の耐摩耗性やその他の高度な耐久性にかかる条件に縛られないからである。これにより、スクリューコンベア１００の製造コストや保守管理コストを抑制して、更にその経済性を高めることができる。
【００４４】
（３）  更に、本発明においては、従来の混練装置を、新たに攪拌翼１が配置されている構成とした。これによれば、その混練装置を、必要な耐摩耗性を維持したまま、保守管理性及び経済性において、従来よりも優れたものとすることができるようになった。
【００４５】
（４）  更に、混練装置が不等速二軸スクリューコンベアである場合に、これに攪拌翼１が配置されている構成とした。これにより、攪拌翼の先端部に特に高い負荷がかかる不等速二軸スクリューコンベアの操業において、上記（３）の効果を更に有効に発現させることができるようになった。
【００４６】
（５）  更に、（３）又は（４）の混練装置を用いた被混練物の混練方法を、被混練物が、ビッカース硬度が略５０以上の鉱物を含有する粉体である場合に適用する構成とした。これにより、カーボンに代表される強い摩耗作用を有する被混練物を投入する際において、上記（１）から（４）のいずれかの発明の奏する効果が、より顕著な効果として発現する。
【００４７】
以上、本発明の実施形態について説明したが、本発明は上述した実施形態に限るものではない。又、本発明の実施形態に記載された効果は、本発明から生じる最も好適な効果を列挙したに過ぎず、本発明による効果は、本発明の実施例に記載されたものに限定されるものではない。
【符号の説明】
【００４８】
１                攪拌翼
１１              母材
１１１            先端面
１２              型枠
１２１            耐摩耗性強化部
１３              取付け用台座部
１３１            攪拌翼取付け穴
２                回転軸
３                搬送スクリュー
４                ケーシング
５                電気駆動部
６                軸受け
７                機械ベース
８                投入口
９                排出口
１００            スクリューコンベア
【図１】
2019055349.tif 000003
【図２】
2019055349.tif 000004
【図３】
2019055349.tif 000005
【図４】
2019055349.tif 000006
【図５】
2019055349.tif 000007